(57)【要約】【課題】部品交換時の廃液量を低減する。【解決手段】複数のノズル３７から液体を吐出可能な吐出部１６と、複数のノズル３７に液体を供給可能な共通液室３５と、液体収容部２、並びに、共通液室３５に設けられた第１接続口４４及び第２接続口４５に接続される液体流路４０と、液体流路４０中の液体を流動させる液体流動部３と、液体流路４０のうちの第１流路１１を介して液体収容部２、液体流路４０のうちの第２流路１３を介して第１接続口４４、液体流路４０のうちの第３流路１４を介して第２接続口４５、に接続され、第１流路１１、第２流路１３及び第３流路１４の開閉が可能な開閉部１２と、第２流路１３及び第３流路１４の少なくとも一方に設けられ、液体流路４０内を大気開放可能な大気開放部１７及び１８と、を備えることを特徴とする液体吐出装置１。【選択図】図１
2017087427.tif 000002
【特許請求の範囲】
【請求項１】
複数のノズルから液体を吐出可能な吐出部と、
前記複数のノズルに液体を供給可能な共通液室と、
液体収容部、並びに、前記共通液室に設けられた第１接続口及び第２接続口に接続される液体流路と、
前記液体流路中の液体を流動させる液体流動部と、
前記液体流路のうちの第１流路を介して前記液体収容部、前記液体流路のうちの第２流路を介して前記第１接続口、前記液体流路のうちの第３流路を介して前記第２接続口、に接続され、前記第１流路、前記第２流路及び前記第３流路の開閉が可能な開閉部と、
前記第２流路及び前記第３流路の少なくとも一方に設けられ、前記液体流路内を大気開放可能な大気開放部と、
を備えることを特徴とする液体吐出装置。
【請求項２】
請求項１に記載の液体吐出装置において、
前記大気開放部は、前記共通液室よりも前記開閉部の近くに設けられることを特徴とする液体吐出装置。
【請求項３】
請求項１又は２に記載の液体吐出装置において、
前記大気開放部は、前記第２流路及び前記第３流路の両方に設けられることを特徴とする液体吐出装置。
【請求項４】
請求項１から３のいずれか１項に記載の液体吐出装置において、
前記液体収容部と前記吐出部との間に形成され、前記液体収容部から液体の供給を受けて保持可能であるとともに前記吐出部に液体を供給可能な液体保持部を備えることを特徴とする液体吐出装置。
【請求項５】
請求項１から４のいずれか１項に記載の液体吐出装置において、
前記液体収容部と前記吐出部との間に形成され、前記吐出部に供給される液体の脱気が可能な脱気部を備えることを特徴とする液体吐出装置。
【発明の詳細な説明】
【技術分野】
【０００１】
本発明は、液体吐出装置に関する。
【背景技術】
【０００２】
従来から、媒体にインクなどの液体を吐出して記録する記録装置のような液体吐出装置が使用されている。このような液体吐出装置のうち、液体収容部から液体の吐出部までの液体流路の一部において液体を循環させることが可能なものが開示されている。  
例えば、特許文献１には、三方弁で接続された液体流路の一部において液体を循環させることが可能な液体吐出装置が開示されている。
【先行技術文献】
【特許文献】
【０００３】
【特許文献１】特開２０１４−１４７３６５号公報
【発明の概要】
【発明が解決しようとする課題】
【０００４】
近年、様々な形態の液体吐出装置が使用されており、特に大型の液体吐出装置などにおいては液体流路中の液体の量が多くなっている。また、このような大型の液体吐出装置などにおいては、製品寿命が長く、部品を交換しながら使用するのが一般的である。しかしながら、従来の液体吐出装置においては、部品を交換する際、液体流路中の液体を廃液として廃棄していた。  
ここで、特許文献１に開示される液体吐出装置は、液体流路の一部において液体を循環させることが可能な構成となっているが、部品交換時の廃液量を低減することが可能な構成にはなっていない。
【０００５】
そこで、本発明の目的は、部品交換時の廃液量を低減することである。
【課題を解決するための手段】
【０００６】
上記課題を解決するための本発明の第１の態様の液体吐出装置は、複数のノズルから液体を吐出可能な吐出部と、前記複数のノズルに液体を供給可能な共通液室と、液体収容部、並びに、前記共通液室に設けられた第１接続口及び第２接続口に接続される液体流路と、前記液体流路中の液体を流動させる液体流動部と、前記液体流路のうちの第１流路を介して前記液体収容部、前記液体流路のうちの第２流路を介して前記第１接続口、前記液体流路のうちの第３流路を介して前記第２接続口、に接続され、前記第１流路、前記第２流路及び前記第３流路の開閉が可能な開閉部と、前記第２流路及び前記第３流路の少なくとも一方に設けられ、前記液体流路内を大気開放可能な大気開放部と、を備えることを特徴とする。
【０００７】
本態様によれば、第１流路を介して液体収容部、第２流路を介して第１接続口、第３流路を介して第２接続口、に接続され、第１流路、第２流路及び第３流路の開閉が可能な開閉部を備え、第２流路及び第３流路の少なくとも一方に、液体流路内を大気開放可能な大気開放部を備える。このため、全液体流路中のうちの、共通液室、第２流路及び第３流路を含む液体流路を大気開放させることができ、該液体流路から第１流路を介して、液体収容部に液体を戻すことが可能になる。したがって、部品交換時の廃液量を低減することが可能になる。
【０００８】
本発明の第２の態様の液体吐出装置は、前記第１の態様において、前記大気開放部は、前記共通液室よりも前記開閉部の近くに設けられることを特徴とする。
【０００９】
本態様によれば、大気開放部は共通液室よりも開閉部の近くに設けられる。液体流路の構成などによっては開閉部から大気開放部までの液体を液体収容部に戻すことができない場合があるが、このような場合であっても、大気開放部を共通液室よりも開閉部の近くに設ける構成とすることで、大気開放部を開閉部の近くに設けることができるので、液体収容部に戻すことができない量を減らすことができ、効果的に、部品交換時の廃液量を低減することが可能になる。
【００１０】
本発明の第３の態様の液体吐出装置は、前記第１又は第２の態様において、前記大気開放部は、前記第２流路及び前記第３流路の両方に設けられることを特徴とする。
【００１１】
本態様によれば、大気開放部は第２流路及び第３流路の両方に設けられる。このため、第２流路に設けられた大気開放部を大気開放して液体を液体収容部に戻した後に、第３流路に設けられた大気開放部を大気開放して液体を液体収容部に戻すことで、特に効果的に、部品交換時の廃液量を低減することが可能になる。
【００１２】
本発明の第４の態様の液体吐出装置は、前記第１から第３のいずれか１つの態様において、前記液体収容部と前記吐出部との間に形成され、前記液体収容部から液体の供給を受けて保持可能であるとともに前記吐出部に液体を供給可能な液体保持部を備えることを特徴とする。
【００１３】
本態様によれば、液体収容部と吐出部との間に形成され、液体収容部から液体の供給を受けて保持可能であるとともに吐出部に液体を供給可能な液体保持部を備える。このため、液体保持部から吐出部に液体を供給して液体吐出動作を実行させつつ、液体収容部への液体の補給（液体収容部の交換）などの作業を実行することが可能になる。
【００１４】
本発明の第５の態様の液体吐出装置は、前記第１から第４のいずれか１つの態様において、前記液体収容部と前記吐出部との間に形成され、前記吐出部に供給される液体の脱気が可能な脱気部を備えることを特徴とする。
【００１５】
吐出部から液体を吐出させる際、液体の脱気ができていない（不十分である）と吐出不良を生じる場合がある。しかしながら、本態様によれば、液体収容部と吐出部との間に形成され、吐出部に供給される液体の脱気が可能な脱気部を備える。このため、吐出部に供給される前に液体の脱気を行うことが可能になり、液体の脱気ができていないことに起因する吐出不良を抑制できる。
【図面の簡単な説明】
【００１６】
【図１】本発明の一実施例の記録装置を表す概略図。
【図２】本発明の別の一実施例の記録装置を表す概略図。
【図３】本発明の一実施例の記録装置を表すブロック図。
【図４】本発明の一実施例の記録装置における部品交換の際のフローチャート。
【発明を実施するための形態】
【００１７】
以下に、本発明の液体吐出装置としての一実施例に係る記録装置について、添付図面を参照して詳細に説明する。  
最初に、本発明の一実施例に係る記録装置１の概要について説明する。  
図１は本実施例の記録装置１の概略図である。
【００１８】
図１で表されるように、本実施例の記録装置１は、液体の一例であるインクを収容する液体収容部としてのインクタンク２と、インクを吐出する吐出部としての記録ヘッド１６と、を備えている。そして、インクタンク２と記録ヘッド１６とは、液体流路としてのインク流路４０で接続されている。なお、インクタンク２は、記録装置１に装着した状態で、図示しない注入孔を通じてインクを注入可能な構成にすることもできるし、カートリッジ状のインクタンク２を記録装置１に着脱可能に装着する構成にすることもできる。
【００１９】
インク流路４０には、インクタンク２側から記録ヘッド１６側に向かって、ポンプ３、フィルター４、脱気部５、三方弁６、サブタンク７、三方弁１２、自己封止弁１５が形成されている。また、サブタンク７と三方弁１２との間は、供給弁８を有するインク流路とポンプ９及び供給弁１０を有するインク流路とに分流している。なお、図１では、記録ヘッド１６を２つ記載しているが、記録ヘッド１６の数は１つでも３つ以上でもよい。
【００２０】
ポンプ３及びポンプ９は、液体流動部としての役割を有しており、ポンプ３及びポンプ９を駆動することでインク流路４０中のインクを流動させることができる構成になっている。なお、本実施例のポンプ３及びポンプ９は、何れも、インクタンク２側から記録ヘッド１６側に向かってインクを流動可能であるとともに、記録ヘッド１６側からインクタンク２側に向かってインクを流動可能な構成になっている。  
また、フィルター４（後述のフィルター２７、２９及び３９も同様）はインク中の異物などを捕捉するためのものであり、フィルター４を交換可能な構成とすることで、フィルター４に異物などが大量に捕捉されることによりインク流路４０におけるインクの流れが悪化することを抑制することができる。
【００２１】
脱気部５は、例えば、インク流路４０の一部を形成する円筒状の中空糸膜４２と、脱気のためにインク流路４０の液体を減圧する不図示の減圧機構などと、を備えることができる。この場合、減圧機構は、中空糸膜４２を収容する減圧室４３と、減圧室４３を減圧可能な不図示のポンプと、を備える。そして、該ポンプが減圧室４３を減圧すると、中空糸膜４２の外側の空間が減圧されて、中空糸膜４２の内側のインク中に溶存する気体が中空糸膜４２の外側に吸引されることによって、中空糸膜４２の内側のインクが脱気される。ただし、脱気部５の構成に特に限定はない。
【００２２】
三方弁６は、インク流路４０を介して、脱気部５、インクタンク２及びサブタンク７の三方に接続されている。詳細には、開閉弁１９、開閉弁２０及び開閉弁２１を備え、開閉弁１９がインク流路４０を介して脱気部５に接続され、開閉弁２０がインク流路４０を介してサブタンク７に接続され、開閉弁２１がインク流路４０を介してインクタンク２に接続されている。そして、開閉弁１９及び開閉弁２０を開けて開閉弁２１を閉じ、ポンプ３を駆動することにより、開閉弁１９側から開閉弁２０側へ、或いは、開閉弁２０側から開閉弁１９側へ、インクを流動させることが可能に構成されている。また、開閉弁１９及び開閉弁２１を開けて開閉弁２０を閉じ、ポンプ３を駆動することにより、開閉弁１９側から開閉弁２１側へ、或いは、開閉弁２１側から開閉弁１９側へ、インクを流動させることが可能に構成されている。さらに、開閉弁２０及び開閉弁２１を開けて開閉弁１９を閉じ、ポンプ９を駆動することにより、開閉弁２０側から開閉弁２１側へ、或いは、開閉弁２１側から開閉弁２０側へ、インクを流動させることが可能に構成されている。
【００２３】
サブタンク７は、保持室２３に保持袋２２を有しており、インクタンク２からインクの供給を受けて該インクを保持可能であるとともに記録ヘッド１６に該インクを供給可能な液体保持部としての役割を有している。なお、本実施例の記録装置１は、インクタンク２側から記録ヘッド１６側に向かうインク流路４０中の方向において、三方弁６の下流側にサブタンク７が設けられている。このような構成により、三方弁６の開閉弁２０を閉じることにより、サブタンク７から記録ヘッド１６にインクを供給させつつインクタンク２のインクを補給する又はインクタンク２を交換するなどの作業を実行することができる。
【００２４】
三方弁１２は、インク流路４０を介して、サブタンク７、記録ヘッド１６の共通液室３５の一方側（接続部４４側）及び共通液室３５の他方側（接続部４５側）の三方に接続されている。詳細には、開閉弁２４、開閉弁２５及び開閉弁２６を備え、開閉弁２４がインク流路４０（供給弁８を有するインク流路とポンプ９及び供給弁１０を有するインク流路）を介してサブタンク７に接続され、開閉弁２５がインク流路４０及び自己封止弁１５を介して共通液室３５の一方側に接続され、開閉弁２６がインク流路４０を介して共通液室３５の他方側に接続されている。  
そして、インクを記録ヘッド１６から吐出させる際（記録を行う際）などにおいて、開閉弁２６を閉じて開閉弁２４及び開閉弁２５を開くことにより、開閉弁２４側から開閉弁２５側へ、インクを供給させることが可能に構成されている。また、開閉弁２５を閉じて開閉弁２４及び開閉弁２６を開くことにより、開閉弁２４側から開閉弁２６側へ、インクを供給させることが可能に構成されている。  
また、開閉弁２６を閉じて開閉弁２４及び開閉弁２５を開き、大気開放弁１８を開いてポンプ３又はポンプ９を駆動することにより、開閉弁２５側から開閉弁２４側へ、インクを流動させることが可能に構成されている。さらに、開閉弁２５を閉じて開閉弁２４及び開閉弁２６を開き、大気開放弁１７を開いてポンプ３又はポンプ９を駆動することにより、開閉弁２６側から開閉弁２４側へ、インクを流動させることが可能に構成されている。
【００２５】
なお、本実施例の記録装置１においては、インク流路４０のうちのインクタンク２から開閉弁２４までを第１流路１１とし、インク流路４０のうちの開閉弁２５から共通液室３５の一方側の接続部４４側までを第２流路１３とし、インク流路４０のうちの開閉弁２６から共通液室３５の他方側の接続部４５側までを第３流路１４としている。  
そして、第２流路１３には大気開放弁１７と自己封止弁１５が形成され、第３流路１４には大気開放弁１８とフィルター３９が形成されている。
【００２６】
なお、本実施例の自己封止弁１５は、フィルター２７及び２９と、供給室２８と、弁体３０と、連通流路３１と、付勢部材３２と、圧力室３３と、可撓部３４とを備える構成である。ただし、自己封止弁１５を設ける場合、記録ヘッド１６に供給するインクの圧力を調整可能な構成であればよく、特にこのような構成の自己封止弁１５に限定されない。
【００２７】
また、本実施例の記録ヘッド１６は、共通液室３５を有し、共通液室３５の一方側の接続部４４は第２流路１３を介して自己封止弁１５と接続され、共通液室３５の他方側の接続部４５は該記録ヘッド１６の第３流路１４側に設けられたフィルター３９と接続されている。また、共通液室３５は記録ヘッド１６のノズル形成面３８側に設けられた複数のノズル３７と接続された液体室３６に接続され、共通液室３５に収容されたインクは液体室３６を介してノズル３７に供給されて吐出される。
【００２８】
すなわち、本実施例の記録装置１は、複数のノズル３７からインクを吐出可能な記録ヘッド１６と、複数のノズル３７にインクを供給可能な共通液室３５とを備えている。また、インクタンク２、並びに、共通液室３５に設けられた第１接続口としての接続部４４及び第２接続口としての接続部４５に接続されるインク流路４０を備えている。また、インク流路４０中のインクを流動させるポンプ３（ポンプ９）と、インク流路４０のうちの第１流路１１を介してインクタンク２、インク流路４０のうちの第２流路１３を介して接続部４４、インク流路４０のうちの第３流路１４を介して接続部４５、に接続され、第１流路１１、第２流路１３及び第３流路１４の開閉が可能な開閉部としての三方弁１２を備えている。そして、第２流路１３及び第３流路１４に設けられ、インク流路４０内を大気開放可能な大気開放部としての大気開放弁１７及び１８を備えている。  
このように、本実施例の記録装置１は、第１流路１１を介してインクタンク２、第２流路１３を介して接続部４４、第３流路１４を介して接続部４５、に接続され、第１流路１１、第２流路１３及び第３流路１４の開閉が可能な三方弁１２を備え、第２流路１３及び第３流路１４の少なくとも一方に、インク流路４０内を大気開放可能な大気開放弁１７及び１８を備える。このため、全インク流路４０中のうちの、共通液室３５、第２流路１３及び第３流路１４を含む液体流路を大気開放させることができ、該液体流路から第１流路１１を介して、インクタンク２にインクを戻すことが可能な構成になっている。したがって、部品交換をする前に、インクタンク２にインクを戻すことで、廃液量を低減することが可能である。なお、部品交換時におけるインクタンク２にインクを戻すフローについては後述する。  
また、共通液室３５に接続部４４と接続部４５との２つ（複数）の位置で接続されるインク流路４０を備えることで、共通液室３５中のインクを循環させることが可能になる。このため、例えば、インク中に沈降成分（溶媒よりも比重の大きい色材など）が含有される場合に、インクの撹拌（沈降成分の沈降の抑制）が可能になる。
【００２９】
次に、別の一実施例の記録装置１について説明する。  
図２は、本発明の別の一実施例の記録装置１を表す概略図である。  
なお、上記実施例と共通する構成部材は同じ符号で示しており、詳細な説明は省略する。
【００３０】
図２で表されるように、本実施例の記録装置１は、上記実施例の記録装置１と同様、インクタンク２と記録ヘッド１６とを備え、インクタンク２と記録ヘッド１６とはインク流路４０で接続されている。また、本実施例の記録装置１は、ポンプ３と三方弁１２を備え、インク流路４０が第１流路１１、第２流路１３及び第３流路１４で構成されていることも上記実施例の記録装置１と同様である。
【００３１】
しかしながら、ポンプ３と三方弁１２との間は第１流路１１のみで構成され、第２流路１３には自己封止弁が設けられておらず、第３流路１４には大気開放弁が設けられていない。
【００３２】
ただし、本実施例の記録装置１も、第１流路１１を介してインクタンク２、第２流路１３を介して接続部４４、第３流路１４を介して接続部４５、に接続され、第１流路１１、第２流路１３及び第３流路１４の開閉が可能な三方弁１２を備え、第２流路１３及び第３流路１４の少なくとも一方（第３流路１４）に、インク流路４０内を大気開放可能な大気開放弁１７を備える。このため、全インク流路４０中のうちの、共通液室３５、第２流路１３及び第３流路１４を含む液体流路を大気開放させることができ、該液体流路から第１流路１１を介して、インクタンク２にインクを戻すことが可能な構成になっている。したがって、本実施例の記録装置１も部品交換をする前に、インクタンク２にインクを戻すことで、廃液量を低減することが可能である。
【００３３】
ここで、本実施例の記録装置１では、大気開放弁１７は、共通液室３５よりも三方弁１２の近くに設けられている。本実施例の記録装置１では、インクタンク２にインクを戻す際、開閉弁２４及び開閉弁２６を開けて開閉弁２５を閉じ、大気開放弁１７を開けて（大気開放して）、ポンプ３を駆動することにより、インク流路４０中のインクをインクタンク２に戻す。しかしながら、第２流路１３中の開閉弁２５から大気開放弁１７の形成部分までのインクは残ってしまう（その後、開閉弁２４及び開閉弁２５を開けて開閉弁２６を閉じて大気開放弁１７を開けてポンプ３を駆動すれば大気開放弁１７の形成部分周辺に残るインク量は低減するが手間がかかる）。このため、本実施例の記録装置１では、大気開放弁１７を共通液室３５よりも三方弁１２の近くに設け、大気開放弁１７を三方弁１２の近くに設けることで、手間を抑制しつつ、残ってしまうインクの量が少なくなるようにし（インクタンク２に戻すことができない量を減らすことができ）、効果的に、部品交換時の廃液量を低減することを可能にしている。
【００３４】
一方、図１で表される記録装置１では、大気開放弁１７は、第２流路１３及び第３流路１４の両方に設けられている。図１で表される記録装置１では、最初に、インクタンク２にインクを戻す際、開閉弁２４及び開閉弁２６を開けて開閉弁２５を閉じ、大気開放弁１７を開けて（大気開放弁１８を閉じて）、ポンプ３を駆動することにより、インク流路４０中のインクをインクタンク２に戻す。そして、次に、開閉弁２４及び開閉弁２５を開けて開閉弁２６を閉じ、大気開放弁１８を開けて（大気開放弁１７を閉じて）、ポンプ３を駆動することにより、インク流路４０中のインクをインクタンク２に戻す。このように、第２流路１３に設けられた大気開放弁１７を大気開放してインクをインクタンク２に戻した後に、第３流路１４に設けられた大気開放弁１８を大気開放してインクをインクタンク２に戻すことで、特に効果的に、部品交換時の廃液量を低減することを可能にしている。
【００３５】
また、図１で表されるように、図１で表される記録装置１は、インクタンク２と記録ヘッド１６との間に形成され、インクタンク２からインクの供給を受けて保持可能であるとともに記録ヘッド１６にインクを供給可能な液体保持部としてのサブタンク７を備えている。このような構成により、サブタンク７から記録ヘッド１６にインクを供給してインク吐出動作（液体吐出動作）を実行させつつ、インクタンク２へのインクの補給（インクタンク２の交換）などの作業を実行することが可能になる。
【００３６】
また、図１で表される記録装置１は、サブタンク７と三方弁１２との間において、供給弁８を有するインク流路とポンプ９及び供給弁１０を有するインク流路とに分流している。このような構成により、記録ヘッド１６など（サブタンク７から記録ヘッド１６までの間にある部品）の部品交換時において、ポンプ３の代わりにポンプ９を駆動して所定の弁（三方弁の開閉弁、大気開放弁及び供給弁）を開閉することにより、インクをインクタンク２に戻すのではなくサブタンク７に戻すことができる。すなわち、図１で表される記録装置１では、サブタンク７もインクタンク２と同様に本発明における液体収容部として、ポンプ９もポンプ３と同様に本発明における液体流動部として、置き換えて考えることができる。
【００３７】
また、上記のように、図１で表される記録装置１は、インクタンク２と記録ヘッド１６との間に、記録ヘッド１６に供給されるインクの脱気が可能な脱気部５を備えている。  
記録ヘッド１６からインクを吐出させる際、インクの脱気ができていない（不十分である）と吐出不良を生じる場合がある。しかしながら、図１で表される記録装置１は、インクタンク２と記録ヘッド１６との間に形成され、記録ヘッド１６に供給されるインクの脱気が可能な脱気部５を備えるため、記録ヘッド１６に供給される前にインクの脱気を行うことが可能になり、インクの脱気ができていないことに起因する吐出不良を抑制できる構成になっている。
【００３８】
次に、図１で表される記録装置１における電気的な構成について説明する。  
図３は、図１で表される記録装置１のブロック図である。  
図３で表されるように、本実施例の記録装置１は、ポンプ３、三方弁６、供給弁８、ポンプ９、供給弁１０、三方弁１２、記録ヘッド１６、大気開放弁１７及び大気開放弁１８等、記録装置１を構成する構成要素の制御を行う制御部４１を備える。制御部４１は、インク吐出動作（記録動作）に対応して記録ヘッド１６の駆動を制御するとともに、インクをインクタンク２（サブタンク７）に戻す際などにおいて、所定の弁（三方弁６の開閉弁１９、２０及び２１、三方弁１２の開閉弁２４、２５及び２６、大気開放弁１７及び１８、並びに、供給弁８及び１０）の開閉を制御する。  
なお、制御部４１は、構成要素を個別に制御するものを複数設けることもできるし、複数の構成要素を総合的に制御するものを設けることもできる。
【００３９】
次に、図１で表される記録装置１を用いて行う、部品交換時におけるインクタンク２にインクを戻すフローの一例について説明する。  
図４は、図１で表される記録装置１における部品交換の際のフローチャートである。
【００４０】
最初に、ステップＳ１１０において、制御部４１の制御により、所定の弁を開く。本例においては、図１で表される記録装置１を用いてインクタンク２にインクを戻すフローの一例であるので、三方弁６の開閉弁１９及び２０、供給弁８、三方弁１２の開閉弁２４及び２６、大気開放弁１７を開き、その他の弁を閉じる。  
なお、図１で表される記録装置１を用いてサブタンク７にインクを戻すフローの場合は、三方弁６の開閉弁２０を閉じ、供給弁１０、三方弁１２の開閉弁２４及び２６、大気開放弁１７を開く。  
また、図２で表される記録装置１を用いてインクタンク２にインクを戻すフローの場合は、三方弁１２の開閉弁２４及び２６、大気開放弁１７を開く。
【００４１】
次に、ステップＳ１２０において、制御部４１の制御により、ポンプ３を駆動する。  
なお、図１で表される記録装置１を用いてサブタンク７にインクを戻すフローの場合は、ポンプ９を駆動する。  
また、図２で表される記録装置１を用いてインクタンク２にインクを戻すフローの場合は、ポンプ３を駆動する。
【００４２】
次に、ステップＳ１３０において、制御部４１の制御により、所定時間ポンプの駆動を維持し、この間にインク流路４０中のインクがインクタンク２に戻る。  
なお、図１で表される記録装置１を用いてサブタンク７にインクを戻すフローの場合は、サブタンク７にインク流路４０中のインクが戻る。  
また、図２で表される記録装置１を用いてインクタンク２にインクを戻すフローの場合は、インクタンク２にインク流路４０中のインクが戻る。
【００４３】
次に、制御部４１の制御により、ステップＳ１４０においてポンプの駆動を停止し、ステップＳ１５０において開かれた弁を閉じる。なお、ステップＳ１５０は省略することも可能である。  
ここで、図１で表される記録装置１を用いてサブタンク７にインクを戻すフローの場合、図２で表される記録装置１を用いてインクタンク２にインクを戻すフローの場合も、ステップＳ１４０及びステップＳ１５０は同様に実行できる。ただし、図２で表される記録装置１を用いてインクタンク２にインクを戻すフローの場合、ステップＳ１５０の終了に伴い、部品交換時におけるインクタンク２にインクを戻すフローは終了する。
【００４４】
次に、ステップＳ１６０において、制御部４１の制御により、所定の弁を開く。本例においては、図１で表される記録装置１を用いてインクタンク２にインクを戻すフローの一例であるので、三方弁６の開閉弁１９及び２０、供給弁８、三方弁１２の開閉弁２４及び２５、大気開放弁１８を開き、その他の弁を閉じる。  
なお、図１で表される記録装置１を用いてサブタンク７にインクを戻すフローの場合は、三方弁６の開閉弁２０を閉じ、供給弁１０、三方弁１２の開閉弁２４及び２５、大気開放弁１８を開く。
【００４５】
次に、ステップＳ１７０において、制御部４１の制御により、ポンプ３を駆動する。  
なお、図１で表される記録装置１を用いてサブタンク７にインクを戻すフローの場合は、ポンプ９を駆動する。
【００４６】
次に、ステップＳ１８０において、制御部４１の制御により、所定時間ポンプの駆動を維持し、この間にインク流路４０中のインク（特に第２流路１３における開閉弁２５から大気開放弁１７の形成部分までの間に残っていたインク）がインクタンク２に戻る。  
なお、図１で表される記録装置１を用いてサブタンク７にインクを戻すフローの場合は、サブタンク７にインク流路４０中のインク（特に第２流路１３における開閉弁２５から大気開放弁１７の形成部分までの間に残っていたインク）が戻る。
【００４７】
次に、制御部４１の制御により、ステップＳ１９０においてポンプの駆動を停止し、ステップＳ２００において開かれた弁を閉じる。なお、ステップＳ２００は省略することも可能である。  
ここで、図１で表される記録装置１を用いてサブタンク７にインクを戻すフローの場合も、ステップＳ１９０及びステップＳ２００は同様に実行できる。  
そして、ステップＳ２００の終了に伴い、部品交換時におけるインクタンク２（サブタンク７）にインクを戻すフローは終了する。
【００４８】
なお、本発明は上記実施例に限定されることなく、特許請求の範囲に記載した発明の範囲内で種々の変形が可能であり、それらも本発明の範囲内に含まれることは言うまでもない。
【符号の説明】
【００４９】
１…記録装置（液体吐出装置）、２…インクタンク（液体収容部）、
３…ポンプ（液体流動部）、４…フィルター、５…脱気部、６…三方弁、
７…サブタンク（液体保持部、液体収容部）、８…供給弁、９…ポンプ（液体流動部）、
１０…供給弁、１１…第１流路、１２…三方弁（開閉部）、１３…第２流路、
１４…第３流路、１５…自己封止弁、１６…記録ヘッド（吐出部）、
１７…大気開放弁（大気開放部）、１８…大気開放弁（大気開放部）、１９…開閉弁、
２０…開閉弁、２１…開閉弁、２２…保持袋、２３…保持室、２４…開閉弁、
２５…開閉弁、２６…開閉弁、２７…フィルター、２８…供給室、２９…フィルター、
３０…弁体、３１…連通流路、３２…付勢部材、３３…圧力室、３４…可撓部、
３５…共通液室、３６…液体室、３７…ノズル、３８…ノズル形成面、
３９…フィルター、４０…インク流路（液体流路）、４１…制御部、４２…中空糸膜、
４３…減圧室、４４…接続部（第１接続口）、４５…接続部（第２接続口）
【図１】
2017087427.tif 000003
【図２】
2017087427.tif 000004
【図３】
2017087427.tif 000005
【図４】
2017087427.tif 000006